(57)【要約】      （修正有）【課題】見守り対象者である居住者の存在や動きを捉えた見守り情報をインターネット上のサーバに保存し、登録された見守り者や事業者が閲覧可能な見守りシステムを提供する。【解決手段】見守り対象者の住戸内にスマートフォン１を設置し、スマートフォンの有するカメラ１２のセンサ機能、データ通信機能、アプリケーションソフトウエアが搭載可能であることを活用する。スマートフォンから得られる見守り情報、あるいはスマートフォンに無線接続された各種センサからの見守り情報を収集し、スマートフォンのデータ通信機能を介してインターネットに接続されたサーバ３に保存し、見守り対象者である居住者の存在や動き、外出／在室等を捉えた見守り情報をインターネット上のサーバに時系列で保存し、予め登録された見守り者、あるいは見守り事業者が閲覧する。【選択図】図１
2016146150.tif 000002
【特許請求の範囲】
【請求項１】
見守り対象者の住戸内に設置されたスマートフォンから得られる時系列の見守り情報がインターネットに接続されたサーバに保存されるとともに、予め登録された見守り者が前記サーバ内の前記見守り対象者の前記見守り情報を閲覧可能としとを特徴とする見守りシステムのビジネスモデル。
【請求項２】
見守り対象者の住戸内に設置されたスマートフォンとインターネットに接続されたサーバと該サーバにアクセス可能な見守りセンターと見守り先とで構成され、前記スマートフォンから得られる前記見守り対象者からの見守り情報に対して前記見守りセンター内および、または前記見守り先で見守り者による見守りが行われることを特徴とする見守りのビジネスモデル。
【請求項３】
見守り対象者の住戸内に設置されたスマートフォンと無線接続された前記見守り対象者の動きや生活行動を検知するセンサユニットで構成される見守り装置から得られる時系列の見守り情報が前記スマートフォンを経由してインターネットに接続されたサーバに保存されるとともに、予め登録された見守り者が前記サーバ内の前記見守り対象者の前記見守り情報を閲覧可能としたことを特徴とする見守りシステムのビジネスモデル。
【請求項４】
見守り対象者の住戸内に設置された複数のスマートフォンは無線接続されるとともに、前記スマートフォンのそれぞれから得られる時系列の見守り情報が複数の前記スマートフォン内の１台に前記見守り情報が集められ、インターネットに接続されたサーバに保存されるとともに、予め登録された見守り者が前記サーバ内の前記見守り対象者の前記見守り情報を閲覧可能としたことを特徴とする見守りシステムのビジネスモデル。
【請求項５】
見守り対象者の住戸内に設置されたスマートフォンに搭載されたカメラから得られる画像から前記見守り対象者の動きと動きの位置の軌跡を前記スマートフォンで抽出し、前記スマートフォンからの時系列の見守り情報としてインターネットに接続されたサーバに保存されるとともに、予め登録された見守り者が前記サーバ内の前記見守り対象者の前記見守り情報を閲覧可能としたことを特徴とする見守りシステムのビジネスモデル。
【請求項６】
住戸内に設置された前記スマートフォンは、所定の見守りアプリケーションソフトを搭載することを特徴とする請求項１〜５のいずれか１項に記載の見守りシステムのビジネスモデル。
【請求項７】
見守り対象者の住戸内に設置されたスマートフォンに搭載されたカメラから得られる画像から前記見守り対象者の大きさと動きを前記スマートフォンで抽出し、前記大きさ情報と前記動きの情報から、見守り対象者の動きの位置の軌跡を求めるとともに、ペットの動きと区別されることを特徴とする請求項１〜６のいずれか１項に記載の見守りシステムのビジネスモデル。
【請求項８】
見守り対象者の住戸内に設置されたスマートフォンに搭載されたカメラから得られる画像から前記見守り対象者の大きさと動きと動きの位置の軌跡を前記スマートフォンで抽出し、前記大きさと前記動き、および前記動きの位置の軌跡から、前記見守り対象者の動きの時系列軌跡を求めるとともに、前記動きの時系列軌跡が停止した時刻から所定時間経過して前記大きさ情報は得られているが、前記時系列軌跡に動きが見られない場合、見守り先に通知されることを特徴とする請求項１〜７のいずれか１項に記載の見守りシステムのビジネスモデル。
【請求項９】
前記スマートフォンは中古のＳＩＭフリー携帯端末であることを特徴とする請求項１〜８のいずれか１項に記載の見守りシステムのビジネスモデル。
【請求項１０】
見守り対象者の住戸内に設置されたスマートフォンと無線接続されたＨＥＭＳ（Ｈｏｍｅ  Ｅｎｅｒｇｙ  Ｍａｎａｇｅｍｅｎｔ  Ｓｙｓｔｅｍ）対応家電機器の稼働状況が得られるように構成され、前記家電機器の稼働状況から前記見守り対象者の生活行動情報が得られる時系列の前記生活行動情報が見守り情報として前記スマートフォンを経由してインターネットに接続されたサーバに保存されるとともに、予め登録された見守り者が前記サーバ内の前記見守り対象者の前記見守り情報を閲覧可能としたことを特徴とする見守りシステムのビジネスモデル。
【請求項１１】
前記スマートフォンは充電器に接続され、前記スマートフォンに内蔵された二次電池に充電が行われるように構成されたことを特徴とする請求項１〜１０のいずれか１項に記載の見守りシステムのビジネスモデル。
【発明の詳細な説明】
【技術分野】
【０００１】  本発明は、戸建て住宅、あるいは団地で暮らしている高齢居住者が住戸内で安心して生活できる見守りシステムのビジネスモデルに関する。
【背景技術】
【０００２】  近年、少子高齢化社会が進みつつあり、子供たちの生活を尊重したいなどの理由で独居を選ぶ高齢者が増加している。このため、都市部では地域コミュニティーが希薄になると共に人的交流が疎遠になりがちになり、隣家の異変に気付き難くなっている。最近の見守りシステムとして訪問介護や訪問サービス等の人的見守りや日常使われている水道や電気ポットを利用した機械的生活見守りシステムが従来技術として知られている。本発明に関する先行技術文献として、下記のものがある。
【先行技術文献】
【特許文献】
【０００３】
【特許文献１】実用新案登録第３１６７７７８号
【発明の概要】
【発明が解決しようとする課題】
【０００４】  上記文献では、弱者側携帯端末が短距離無線通信による玄関、トイレ、冷蔵庫に設置されているドア開閉センサ端末との随時通信から得られたドア開閉状況や記録情報を予め登録した保護者側携帯端末もしくはパソコンにメール通報手段によって自動メール添付して通報するか、または自動電話発信手段により、弱者側携帯端末から保護者側携帯端末へ電話連絡の自動接続を行う弱者見守りシステムが開示されている。このように弱者側携帯端末を用いた独居高齢者に対する弱者見守りシステムでは、携帯端末が、各ドア開閉センサ端末からのドア開閉状況の収集と保護者側携帯端末へのメールの送信用として用いられている。このようにドア開閉センサの開閉状況から居住者の行動を間接的に見守るのでは十分とは言い難い。例えば独居高齢者がトイレのドアをいちいちきちんと閉めてトイレを使用するのは考えにくい。一般にドアセンサはドアがきちんと閉まらないと検知されない。また、玄関ドアの開閉がドア開閉センサで検知されても、外出か在宅かはわからない。更に携帯端末が用いられるので、充電や誤操作等の課題がある。そこで本発明は、見守り対象者である居住者そのものの存在や動きを捉えた見守り情報をインターネット上のサーバに時系列で保存し、予め登録された見守り者、あるいは見守り事業者が閲覧可能な見守りシステムのビジネスモデルを提供することにある。
【課題を解決するための手段】
【０００５】  本発明は、上記従来の課題を解決するためになされたものであり、見守り対象者の住戸内にスマートフォンを設置し、このスマートフォンの有するカメラのセンサ機能、データ通信機能、アプリケーションソフトウエアが搭載可能であること等を活用し、スマートフォンから得られる見守り情報、あるいはスマートフォンに無線接続された各種センサからの見守り情報を収集し、スマートフォンのデータ通信機能を介してインターネットに接続されたサーバに保存されるように構成し、見守り対象者である居住者の存在や動き、外出／在室等を捉えた見守り情報をインターネット上のサーバに時系列で保存し、予め登録された見守り者、あるいは見守り事業者が閲覧可能な見守りシステムのビジネスモデルである。
【発明の効果】
【０００６】  本発明のスマートフォンを用いた見守りシステムのビジネスモデルによれば戸建て住宅、あるいは団地で暮らしている高齢居住者の住戸内にスマートフォンを設置することにより、このスマートフォンの有する機能を有効活用して見守り情報の収集とインターネットに接続されたサーバに見守り情報が時系列で保存され、予め登録された見守り者、あるいは見守り事業者が閲覧可能な見守りシステムとして構成されるので、住戸内にスマートフォンを設置するだけで見守り対象者からの見守り情報得ることができる。このスマートフォンは安価な中古のスマートフォンを用いることができる。また、このスマートフォンから得られる見守り情報は、スマートフォンのカメラから得られる画像に対して搭載した所定のアプリケーションソフトの画像処理から見守り対象者の概略の大きさ（形状）と動きと動きの位置の軌跡が得られる。一般的に用いられる人感センサの場合、動きを伴わないと存在を検知できないが、本発明では見守り対象者の大きさ（形状）を捉えるので見守り対象者が動きのない状態でも存在を知ることができる。また、ペットが存在しても小さな大きさとして捉えられるので見守り対象者と区別することができる。また、複数のスマートフォンを設置してこれらのスマートフォンの有する無線モジュール（ＷｉＦｉ：登録商標、あるいはＢｌｕｅｔｏｏｔｈ：登録商標）を用いて無線接続することで、住戸内のより広いエリアからの見守り情報を得ることができる。更に、見守り対象者の概略大きさ（形状）と動きの位置の軌跡が見守り情報として得られるので、時系列の動きの位置の軌跡が停止した時刻からある一定時間経過しても大きさ（形状）情報のみ場合は、見守り対象者に異常有りとして見守り先に異常通報することができる。更に、スマートフォンとＨＥＭＳ（Ｈｏｍｅ  Ｅｎｅｒｇｙ  Ｍａｎａｇｅｍｅｎｔ  Ｓｙｓｔｅｍ）対応家電機器をＷｉＦｉ、あるいはＢｌｕｅｔｏｏｔｈで無線接続をすることで、このＨＥＭＳ対応家電機器の稼働状況から見守り対象者の生活行動情報を得ることができる。スマートフォンに接続された充電器から充電が行われているので見守り動作中に住戸の停電が生じた場合でも、スマートフォンには二次電池から電源の供給が行われ、時系列の見守り情報が欠落することなく、見守りが継続して行われる。
【図面の簡単な説明】
【０００７】
【図１】  本発明の一実施形態を示すブロック図である。
【図２】  本発明の他の実施形態を示すブロック図である。
【図３】  本発明の他の実施形態を示すブロック図である。
【図４】  本発明の他の実施形態を示すブロック図である。
【図５】  スマートフォンのハードウエア構成を示すブロック図である。
【発明を実施するための形態】
【０００８】  本発明の一実施形態を図１に示す。見守り対象者６の住戸５内にスマートフォン１が、例えば見守り対象者６が生活行動の中で、居間からトイレ、外出・帰宅、等の多くの動きを捉えやすい玄関の上部位置に設置される。見守り対象者６の生活行動の動きは、スマートフォン１のカメラ１２で画像として捉えられる。また、スマートフォン１には見守りアプリケーションソフトウエアが組み込まれる。この見守りアプリケーションソフトウエアを用いてカメラ１２で捉えられた画像から、見守り対象者６の動きと動きの位置の軌跡が抽出され、時系列の見守り情報として、図５で示したスマートフォン１の無線通信モジュール２１、アンテナ２０を介して外部の広域ネットワークとしてのインターネット２に接続されたサーバ３に保存されるとともに、予め登録された見守り先７の見守り者９がサーバ３内の見守り対象者６の見守り情報を閲覧可能となるように構成される。同様に、見守り事業者が運営する見守りセンター４の見守り者８もサーバ３内の見守り対象者６の見守り情報を閲覧できる。この見守りセンター４では、見守り対象者６に家族等の見守り先７の見守り者９がいない場合には見守り事業者が運営する見守りセンター４の見守り者８が対応できるように構成される。特に、スマートフォン１からの見守り対象者６の異常通報はサーバ３を経由して、見守り先７の見守り者９に通知される。見守り対象者６に家族等の見守り先７の見守り者９がいない場合、異常通報はサーバ３を経由して、見守りセンター４の見守り者８に通知され、異常通報に対する対応が可能となる。このように市販のスマートフォン１を住戸５内に設置し、スマートフォン１から得られる時系列の見守り情報がインターネット２に接続されたサーバ３に保存され、見守り事業者が運営する見守りセンター４の見守り者８と見守り先７とで見守りシステム構成される。なお、スマートフォン１はＳＩＭ（Ｓｕｂｓｃｒｉｂｅｒ  Ｉｄｅｎｔｉｔｙ  Ｍｏｄｕｌｅ）フリー携帯端末であることが望ましく、また、スマートフォン１は多く流通している中古のＳＩＭフリー携帯端末でもよい。このスマートフォン１への電源供給は図示しないが、付属の充電器から供給される。スマートフォン１のカメラ１２の照明は、スマートフォン１の周辺デバイス２９内の照度センサ３２が見守りエリアの明るさを検知し、設定照度以下となった場合、ＬＥＤ光源３３が点灯するように構成される。また、図示しないが近赤外ＬＥＤ光源と照度センサで構成され、暗い時の見守り情報が得られるようにしてもよい。図２に本発明の他の実施形態を示す。見守り対象者６の住戸１１内に設置されたスマートフォン１と無線接続された見守り対象者６の動きや生活行動を検知するセンサユニット１０で構成される住戸１１内の見守り装置から得られる時系列の見守り情報がスマートフォン１を経由してインターネット２に接続されたサーバ３に保存されるとともに、予め登録された見守り先７の見守り者９がサーバ３内の見守り対象者６の見守り情報が閲覧可能となるように構成される。ここで、スマートフォン１とセンサユニット１０の無線接続は、スマートフォン１の周辺デバイス２９の無線モジュール（Ｂｌｕｅｔｏｏｔｈ：登録商標）と図示しないが、センサユニット１０内の無線モジュール（Ｂｌｕｅｔｏｏｔｈ：登録商標）との間で行われる。センサユニット１０内のセンサは図示しないが見守り対象者６の動きを検知する人感センサ、生活行動を検知するドアセンサで構成される。センサユニット１０で得られる見守り対象者６の動きや生活行動、外出等の時系列の見守り情報が無線接続されたスマートフォン１からインターネット２に接続されたサーバに送信されて見守りが行われる。図３に本発明の他の実施形態を示す。図３で住戸１３内に見守り対象者６が生活行動の中で、居間からトイレ、外出／帰宅、等の多くの動きを捉えやすい玄関の上部位置にスマートフォン１が設置される。スマートフォン１と無線接続されたスマートフォン１４は、居間、あるいは寝室に設置される。スマートフォン１とスマートフォン１４の無線接続は、スマートフォン１、１４に搭載されているそれぞれの周辺デバイス２９の無線モジュール（ＷｉＦｉ：登録商標）３０を介して行われる。スマートフォン１、１４にはそれぞれ見守りアプリケーションソフトウエアが組み込まれる。見守り対象者６の生活行動や動きは、スマートフォン１のカメラ１２、およびスマートフォン１４のカメラ１２で画像として捉えられる。この見守りアプリケーションソフトウエアを用いてそれぞれのカメラ１２で捉えられた画像から、見守り対象者６の動きと動きの位置の軌跡が抽出され、時系列の見守り情報として、スマートフォン１の無線通信モジュール２１、アンテナ２０を介して外部の広域ネットワークとしてのインターネット２に接続されたサーバ３に保存されるとともに、予め登録された見守り先７の見守り者９がサーバ３内の見守り対象者６の見守り情報を閲覧可能となるように構成される。また、スマートフォン１はＷｉＦｉ親機として機能し、スマートフォン１４はＷｉＦｉ無線子機としての動作が行われる。このスマートフォン１４で得られた見守り情報は、無線接続されたスマートフォン１に集められる。スマートフォン１、１４にはそれぞれ見守りアプリケーションソフトウエアが組み込まれる。カメラ１２から得られた画像はアプリケーションプロセッサ２４とＲＡＭ（Ｒａｎｄｏｍ  Ａｃｃｅｓｓ  Ｍｅｍｏｒｙ）２２とで画像処理が行われ、時系列で捉えたフレーム単位の減算処理を行うことで動きのない家具や調度品等は消去されて、見守り対象者６の動きと動きの位置の軌跡が抽出される。所定の時間間隔のフレーム画像の減算処理の積算値が予め定めた閾値との比較が行われ、積算値が閾値より大きい場合、動き有りとして見守り対象者６の動きが検知される。更にカメラ１、１２のそれぞれの見守りエリアから得られる時系列で捉えたフレーム画像を複数のブロック、例えば４×４の１６ブロックに分割し、所定の時間間隔のフレーム画像の対応するブロックでそれぞれ減算処理を行い、減算結果の積算値が予め定めた閾値との比較が行われ、積算値が閾値より大きい場合見守り対象者６の動きが検知されるとともに、見守りエリア内の見守り対象者６の動きと動きの位置の軌跡が抽出される。更に、見守りエリアから得られる時系列で捉えたフレーム画像を複数のブロック、例えば４×４の１６ブロックに分割し、アプリケーションプロセッサ２４で画���処理を行うことにより、見守りエリア内の見守り対象者６の概略の大きさを捉えることができる。このため、犬や猫などのペットの存在との区別が可能となる。更に、見守りエリア内の見守り対象者６の概略の大きさと動き、および動きの位置の軌跡が得られるので、見守り対象者６の動きの時系列軌跡が停止した時刻から所定時間、例えば１２時間経過して大きさ情報は得られているが、動きの時系列軌跡に動きが見られない場合、見守りセンター４と見守り先７に通知されるように構成される。スマートフォン１のカメラ１２から得られる画像から画像処理して得られる見守り対象者６の動きの位置の軌跡と存在の有無から外出／在室の検知が行われる。本発明の見守り情報には、スマートフォン１のカメラ１２で捉えた画像から画像処理して得られる、見守り対象者６の概略の大きさとペットとの区別、動きと動きの位置の軌跡、動きがなくなってからの異常通報がある。また、センサユニット１０から得られる人感センサによる見守り対象者６の動きとドアセンサによる生活行動の検知も本発明における見守り情報として用いられる。更に、スマートフォン１に搭載されている周辺デバイス２９の温度センサ３４で計測される住戸５内の室温、加速度センサ３５で計測される地震による住戸５の揺れや傾きも本発明の見守り情報として用いられる。図４に本発明の他の実施形態を示す。図４で見守り対象者６の住戸１５内に設置されたスマートフォン１と無線接続され、見守り対象者６がＨＥＭＳ（Ｈｏｍｅ  Ｅｎｅｒｇｙ  Ｍａｎａｇｅｍｅｎｔ  Ｓｙｓｔｅｍ）対応家電機器のＨＥＭＳ対応テレビ１８のスイッチを入れる、またＨＥＭＳ対応照明器具１６をオン・オフする、あるいはＨＥＭＳ対応エアコン１７をオンするというような生活行動としての時系列の見守り情報がスマートフォン１に集められ、このスマートフォン１からインターネット２に接続されたサーバ３に保存されるとともに、予め登録された見守り者９がサーバ３内の見守り対象者６の生活行動の見守り情報として閲覧が可能となるように構成される。ＨＥＭＳ対応テレビ１８、ＨＥＭＳ対応照明器具１６、ＨＥＭＳ対応エアコン１７は、それぞれ無線モジュール（Ｂｌｕｅｔｏｏｔｈ：登録商標）が搭載されており、スマートフォン１に搭載されている周辺デバイス２９の無線モジュール（Ｂｌｕｅｔｏｏｔｈ：登録商標）３１との間で無線接続され、見守り対象者６の生活行動に伴うＨＥＭＳ対応家電機器のオン・オフ状態がスマートフォン１に集められ、生活行動の見守り情報としてスマートフォン１からインターネット２に接続されたサーバ３に保存されるとともに、予め登録された見守り者９がサーバ３内の見守り対象者６の生活行動が見守り情報として閲覧可能となる。スマートフォン１には、日本国内の家電メーカが中心となって設立されたエコネットコンソーシアムにより策定されたＨＥＭＳ向けの規格のＥＣＨＯＮＥＴ−Ｌｉｔｅに沿ったアプリケーションソフトウエアが搭載されてＨＥＭＳ対応家電機器との通信が行われて、ＨＥＭＳ対応家電機器のオン・オフ状態が収集される。
スマートフォン１は、ＳＩＭ（Ｓｕｂｓｃｒｉｂｅｒ  Ｉｄｅｎｔｉｔｙ  Ｍｏｄｕｌｅ）フリー携帯端末であり、安価な中古を用いてもよい。ＳＩＭカード３８は、見守りセンターを運用する見守り事業者から提供される。このＳＩＭカード３８は、スマートフォン１に搭載して用いられるが、図３のスマートフォン１４にはＳＩＭカード３８は搭載しないで用いられる。図５にスマートフォン１の概略のハードウエア構成を示した。スマートフォン１は本来、個人が携帯してかつ操作して情報を得たり、情報を発信したりするものであるが、本発明では見守り事業者が見守り対象者６の住戸５に設置し、スマートフォン１が有するカメラ２７、照度センサ３２、温度センサ３４、加速度センサ３５、無線モジュール３０、３１等を活用し、見守りアプリケーションソフトウエアを組み込むことで、住戸５内の見守り対象者６からの見守り情報を得ることができる。住戸５に設置されるスマートフォン１は、二次電池（リチウムイオン電池）２７を内蔵していて、スマートフォン１に接続された充電器３９から充電が行われる。このため、スマートフォン１が見守り動作中に二次電池（リチウムイオン電池）２７が切れて見守り動作が中断されることはない。更に、住戸５の商用電源の停電が生じた場合でも、スマートフォン１には二次電池（リチウムイオン電池）２７から電源の供給が行われるので、スマートフォン１から得られる時系列の見守り情報が欠落することなく、住戸５の停電があってもインターネット２に接続されたサーバ３に保存されると共に見守りが継続して行われる。
【符号の説明】
【０００９】      １、１４：スマートフォン    ２：インターネット（広域通信ネットワーク）
３：サーバ    ４：見守りセンター      ５、１１、１３、１５：住戸
６：見守り対象者      ７：見守り先
８、９：見守り者    １０：センサユニット    １２：カメラ
１６：ＨＥＭＳ対応照明器具    １７：ＨＥＭＳ対応エアコン
１８：ＨＥＭＳ対応テレビ
１９：スマートフォンハードウエア構成
２０：アンテナ      ２１：無線通信モジュール
２２：ＲＡＭ        ２３：フラッシュメモリ
２４：アプリケーションプロセッサ
２５：ベースバンドモデム
２６：電源・音声ＬＳＩ
２７：二次電池（リチウムイオン電池）
２８：ディスプレイ    ２９：周辺デバイス
３０：無線モジュール（ＷｉＦｉ：登録商標）
３１：無線モジュール（Ｂｌｕｅｔｏｏｔｈ：登録商標）
３２：照度センサ      ３３：ＬＥＤ光源
３４：温度センサ      ３５：加速度センサ
３６：スピーカ      ３７：マイク
３８：ＳＩＭカード（Ｓｕｂｓｃｒｉｂｅｒ  Ｉｄｅｎｔｉｔｙ
Ｍｏｄｕｌｅ  Ｃａｒｄ）
３９：充電器
【図１】
2016146150.tif 000003
【図２】
2016146150.tif 000004
【図３】
2016146150.tif 000005
【図４】
2016146150.tif 000006
【図５】
2016146150.tif 000007